(57)【特許請求の範囲】
【請求項１】
ＯＦＤＭ（直交周波数分割多重）変調方式のＯＦＤＭ伝送信号を構成する同期信号区間内の所定位置に、ＯＦＤＭ伝送周波数帯域の中心周波数である基準搬送周波数を持つ基準信号を挿入して間欠的に送信されたＯＦＤＭ伝送信号を受信する受信手段と、
受信されたＯＦＤＭ伝送信号中から前記基準信号を抽出する基準信号抽出手段と、
抽出された基準信号を保持するとともに、次に基準信号が抽出されるまでの間、保持されている基準信号を繰り返して、連続信号を生成する連続信号生成手段と、
この連続信号を利用して周波数をロックする電圧制御発振器ループを構成し、ＯＦＤＭ信号のベースバンドＩ信号、およびベースバンドＱ信号を得るための基準搬送周波数を再生する基準周波数再生手段と、
を備えたことを特徴とする直交周波数分割多重変調の基準搬送周波数再生方式。
【請求項２】
請求項１に記載の直交周波数分割多重変調の基準搬送周波数再生方式において、
前記ＯＦＤＭ伝送信号中に挿入されて間欠的に送信される各基準信号間の時間間隔を、各基準信号の時間幅で割算したときの値が整数になるように、各基準信号間の時間間隔と、各基準信号の時間幅とが決定されていることを特徴とする直交周波数分割多重変調の基準搬送周波数再生方式。
【請求項３】
請求項１に記載の直交周波数分割多重変調の基準搬送周波数再生方式において、
前記連続信号生成手段は、抽出された基準信号をサンプリングして得られたデジタルデータを保持するとともに、保持されたデジタルデータを繰り返し読み出して、擬似的な連続信号を生成することを特徴とする直交周波数分割多重変調の基準搬送周波数再生方式。
【請求項４】
請求項１に記載の直交周波数分割多重変調の基準搬送周波数再生方式において、
前記連続信号抽出手段は、ＯＦＤＭ伝送信号中に挿入されて間欠的に送信される基準信号の一部を取り出す手段であることを特徴とする直交周波数分割多重変調の基準搬送周波数再生方式。
【請求項５】
請求項４に記載の直交周波数分割多重変調の基準搬送周波数再生方式において、
前記ＯＦＤＭ伝送信号中に挿入されて間欠的に送信される基準信号の一部を受信側で取り出す際に、この取り出し時間長で、次の基準信号を取り出すまでの時間間隔を割算した値が整数になるように、前記基準信号の時間幅が決定されていることを特徴とする直交周波数分割多重変調の基準搬送周波数再生方式。
【請求項６】
ＯＦＤＭ（直交周波数分割多重）変調方式のＯＦＤＭ伝送信号を構成する同期信号区間内の所定位置に、ＯＦＤＭ伝送周波数帯域の中心周波数である基準搬送周波数を持つ基準信号を挿入して間欠的に送信されたＯＦＤＭ伝送信号を受信する受信手段と、
受信されたＯＦＤＭ伝送信号中から前記基準信号を抽出する基準信号抽出手段と、
抽出された各基準信号を保持するとともに、保持されている各基準信号の位相を揃えて加算して位相調整がされた基準信号を生成する位相調整手段と、
この位相調整手段から出力される位相調整がされた基準信号を繰り返して、連続信号を生成する連続信号生成手段と、
この連続信号を利用して周波数をロックする電圧制御発振器ループを構成して、ＯＦＤＭ信号のベースバンドＩ信号、およびベースバンドＱ信号を得るための基準搬送周波数を再生する基準周波数再生手段と、
を備えたことを特徴とする直交周波数分割多重変調の基準搬送周波数再生方式。
【発明の詳細な説明】
【０００１】
【発明の属する技術分野】
本発明は、デジタルテレビジョン放送、デジタル音声放送またはデジタルテレビジョン素材伝送装置などの変調方式として適しているＯＦＤＭ変調方式に係わり、特に間欠的に送信される無変調キャリア信号を用いて、受信機側で、基準搬送周波数を再生する直交周波数分割多重変調の基準搬送周波数再生方式に関する。
【０００２】
［発明の概要］
本発明は、ＯＦＤＭ（直交周波数分割多重：Orthogonal Frequency Division Multiplexing）変調方式の基準搬送周波数再生方式に関するもので、送信機側から、基準搬送周波数の無変調キャリア信号を間欠的に送信させ、受信機側で、前記無変調キャリア信号を繰り返して、連続信号を生成させるとともに、この連続信号を使用させて、電圧制御発振器を動作させ、正確で安定した基準搬送周波数のキャリアを再生させる。
【０００３】
【従来の技術】
従来、ＯＦＤＭ変調信号を復調するための基準搬送周波数の再生方式としては、再生されたフレーム同期信号を基に周波数をロックすることにより、基準搬送周波数を再生する方法や、受信したデータの位相誤差検出によって周波数ずれの補正を行って、基準搬送周波数を再生する方法などが知られている。
【０００４】
このようなＯＦＤＭ変調方式を用いた信号伝送においては、受信側で正確な基準搬送周波数を再生することが要求される。
【０００５】
【発明が解決しようとする課題】
しかしながら、従来の基準搬送周波数の再生方式では、送信された基準周波数と受信機の基準周波数の発振器とのずれが大きい場合、いずれの方式を使用しても、基準搬送周波数を正確に再生することが難しいという問題があった。
【０００６】
本発明は上記の事情に鑑み、請求項１では、送信側でＯＦＤＭ信号の同期信号区間内の所定位置に、ＯＦＤＭ伝送周波数帯域の中心周波数である基準搬送周波数の信号を挿入して間欠的に送信し、受信側で、この信号を取出し、この信号を繰り返すことにより作られる信号を利用し、周波数をロックする電圧制御発振器ループを構成することにより、基準搬送周波数を安定、かつ正確に再生することができる直交周波数分割多重変調の基準搬送周波数再生方式を提供することを目的としている。
【０００７】
また、請求項２では、間欠的に送信される周波数ロック用の信号の長さと、次の信号が送信されるまでの時間との比を整数にすることにより、受信側で抽出した基準信号を繰り返す際に、時間的な切れ目が無い連続信号にすることができ、より安定した周波数ロック用の連続信号を作成することができる直交周波数分割多重変調の基準搬送周波数再生方式を提供することを目的としている。
【０００８】
また、請求項３では、受信側で抽出した基準信号をデジタルデータとして記憶し、このデータを繰り返し、読み出すことにより、アナログ信号のままで繰り返した連続信号よりも、簡単で、かつ安定した周波数ロック用の連続信号を作ることができる直交周波数分割多重変調の基準搬送周波数再生方式を提供することを目的としている。
【０００９】
また、請求項４では、間欠的に送信される周波数ロック用の信号の一部を用いて、周波数ロック用の連続信号を作成することにより、受信側で、送信された基準信号の位置および長さが正確に得られない場合でも、周波数ロック用の連続信号を作成することができる直交周波数分割多重変調の基準搬送周波数再生方式を提供することを目的としている。
【００１０】
また、請求項５では、間欠的に送信される周波数ロック用信号の一部を受信側で取り出す際に、この切出し長さと、次の周波数ロック信号を取り出すまでの時間との比を整数にすることにより、請求項２と同様に、受信側で抽出した基準信号を繰り返す際に、時間的な切れ目が無い連続信号にすることができ、より安定した周波数ロック用の連続信号を作成することができる直交周波数分割多重変調の基準搬送周波数再生方式を提供することを目的としている。
【００１１】
また、請求項６では、受信側で取り出した基準信号の位相を揃えて加え合わせた信号を繰り返して連続信号を作ることにより、周波数ロックに利用する連続信号のＣ／Ｎ（信号対雑音比）を改善するとができ、伝送路上の雑音特性が悪い場合であっても、安定で、かつ正確な基準周波数を再生することができる直交周波数分割多重変調の基準搬送周波数再生方式を提供することを目的としている。
【００１２】
【課題を解決するための手段】
上記の目的を達成するために本発明は、請求項１では、ＯＦＤＭ（直交周波数分割多重）変調方式のＯＦＤＭ伝送信号を構成する同期信号区間内の所定位置に、ＯＦＤＭ伝送周波数帯域の中心周波数である基準搬送周波数を持つ基準信号を挿入して間欠的に送信されたＯＦＤＭ伝送信号を受信する受信手段と、受信されたＯＦＤＭ伝送信号中から前記基準信号を抽出する基準信号抽出手段と、抽出された基準信号を保持するとともに、次に基準信号が抽出されるまでの間、保持されている基準信号を繰り返して、連続信号を生成する連続信号生成手段と、この連続信号を利用して周波数をロックする電圧制御発振器ループを構成し、ＯＦＤＭ信号のベースバンドＩ信号、およびベースバンドＱ信号を得るための基準搬送周波数を再生する基準周波数再生手段とを備えたことを特徴としている。
【００１３】
また、請求項２では、請求項１に記載の直交周波数分割多重変調の基準搬送周波数再生方式において、前記ＯＦＤＭ伝送信号中に挿入されて間欠的に送信される各基準信号間の時間間隔を、各基準信号の時間幅で割算したときの値が整数になるように、各基準信号間の時間間隔と、各基準信号の時間幅とが決定されていることを特徴としている。
【００１４】
また、請求項３では、請求項１に記載の直交周波数分割多重変調の基準搬送周波数再生方式において、前記連続信号生成手段は、抽出された基準信号をサンプリングして得られたデジタルデータを保持するとともに、保持されたデジタルデータを繰り返し読み出して、擬似的な連続信号を生成することを特徴としている。
【００１５】
また、請求項４では、請求項１に記載の直交周波数分割多重変調の基準搬送周波数再生方式において、前記連続信号抽出手段は、ＯＦＤＭ伝送信号中に挿入されて間欠的に送信される基準信号の一部を取り出す手段であることを特徴としている。
【００１６】
また、請求項５では、請求項４に記載の直交周波数分割多重変調の基準搬送周波数再生方式において、前記ＯＦＤＭ伝送信号中に挿入されて間欠的に送信される基準信号の一部を受信側で取り出す際に、この取り出し時間長で、次の基準信号を取り出すまでの時間間隔を割算した値が整数になるように、前記基準信号の時間幅が決定されていることを特徴としている。
【００１７】
また、請求項６では、ＯＦＤＭ（直交周波数分割多重）変調方式のＯＦＤＭ伝送信号を構成する同期信号区間内の所定位置に、ＯＦＤＭ伝送周波数帯域の中心周波数である基準搬送周波数を持つ基準信号を挿入して間欠的に送信されたＯＦＤＭ伝送信号を受信する受信手段と、受信されたＯＦＤＭ伝送信号中から前記基準信号を抽出する基準信号抽出手段と、抽出された各基準信号を保持するとともに、保持されている各基準信号の位相を揃えて加算して位相調整がされた基準信号を生成する位相調整手段と、この位相調整手段から出力される位相調整がされた基準信号を繰り返して、連続信号を生成する連続信号生成手段と、この連続信号を利用して周波数をロックする電圧制御発振器ループを構成して、ＯＦＤＭ信号のベースバンドＩ信号、およびベースバンドＱ信号を得るための基準搬送周波数を再生する基準周波数再生手段とを備えたことを特徴としている。
【００１８】
取り出すまでの時間の長さを割算した値が整数になるように、基準信号の一部の長さを決定することを特徴としている。
【００１９】
上記の構成において、請求項１では、ＯＦＤＭ伝送信号の同期信号区間内の所定位置に、ＯＦＤＭ伝送周波数帯域の中心周波数である基準搬送周波数を持つ基準信号を挿入して送信し、受信側で、前記基準信号を取り出し、この基準信号を繰り返すことによって得られる連続信号を利用し、周波数をロックする電圧制御発振器ループを構成して、基準搬送周波数を再生することにより、基準搬送周波数を安定、かつ正確に再生する。
【００２０】
また、請求項２では、ＯＦＤＭ伝送信号中に挿入されて、間欠的に送信される各基準信号間の時間間隔を、各基準信号の時間幅で割算したときの値が整数になるように、各基準信号間の時間間隔と、各基準信号の時間幅とを決定することにより、基準信号を繰り返して得られる信号の切れ目を無くし、基準搬送周波数を安定、かつ正確に再生する。
【００２１】
また、請求項３では、ＯＦＤＭ伝送信号中に挿入されて、間欠的に送信される基準信号を受信側で取り出すとともに、この基準信号をサンプリングして得られたデジタルデータを記憶し、この後前記デジタルデータを繰り返し、読み出して、擬似的な連続信号を作り、この連続信号を利用し、周波数をロックする電圧制御発振器ループを構成して、基準搬送周波数を再生することにより、基準信号を繰り返して得られる信号を安定化させ、基準搬送周波数を安定、かつ正確に再生する。
【００２２】
また、請求項４では、ＯＦＤＭ伝送信号中に挿入されて、間欠的に送信される基準信号の一部を受信側で取り出すとともに、この基準信号をサンプリングして得られたデジタルデータを記憶し、以後このデジタルデータを繰り返して読み出して、擬似的な連続信号を作り、この連続信号を利用し、周波数をロックする電圧制御発振器ループを構成して、基準搬送周波数を再生することにより、前記基準信号の位置および長さが正確に得られない場合でも、基準搬送周波数を安定、かつ正確に再生する。
【００２３】
また、請求項５では、ＯＦＤＭ伝送信号中に挿入されて、間欠的に送信される基準信号の一部を受信側で取り出す際に、この取り出し時間長で、次の基準信号を取り出すまでの時間間隔を割算した値が整数になるように、前記基準信号の時間幅を決定することにより、基準信号を繰り返して得られる信号の切れ目を無くし、基準搬送周波数を安定、かつ正確に再生する。
【００２４】
また、請求項６では、ＯＦＤＭ伝送信号中に挿入されて、間欠的に送信される各基準信号を受信側で取り出し、これらの各基準信号の位相を合わせて加え合わせた信号を繰り返して連続信号を作るとともに、この連続信号を利用して、周波数をロックする電圧制御発振器ループを構成し、基準搬送周波数を再生することにより、前記基準信号のＣ／Ｎ（信号対雑音比）が悪いときでも、基準信号を繰り返して得られる信号を安定化させ、基準搬送周波数を安定、かつ正確に再生する。
【００２５】
【発明の実施の形態】
図１は、本発明による直交周波数分割多重変調の基準搬送周波数再生方式が適用された送受信システムの一例を示すブロック図である。
【００２６】
この図に示す送受信システム１は、送信対象となる伝送データをＯＦＤＭ変調方式で変調して、図２（ａ）に示す信号フォーマットを持つＯＦＤＭ伝送信号を生成し、これを送信する送信機２と、この送信機２から送信されたＯＦＤＭ伝送信号を受信して、伝送データを再生する受信機３とを備えており、送信機２によって、一定の周期で無変調キャリア信号（基準信号）が介挿されたＯＦＤＭ伝送信号を生成して、これを送信するとともに、受信機３では、このＯＦＤＭ伝送信号を受信して、このＯＦＤＭ伝送信号に含まれる基準信号を抽出する。そして、受信機３では、抽出された基準信号に基づき、０度信号と、９０度信号とを再生するとともに、これら０度信号と、９０度信号とに基づき、ＯＦＤＭ伝送信号から得られたＩＦ信号を直交同期検波して、ベースバンドＩ信号、およびベースバンドＱ信号を再生する。
【００２７】
この場合、ＯＦＤＭ伝送信号は、図２（ａ）に示すように、送信対象となる伝送データを含む複数のＯＦＤＭ信号と、各ＯＦＤＭ信号の間に介挿される同期信号区間に各々、挿入される１つ以上の無変調キャリア信号（中心周波数ｆc の基準搬送周波数を示す基準信号）とによって構成されており、各基準信号の時間幅で、ＯＦＤＭ伝送信号中に含まれる各基準信号間の時間間隔を割算したときの値が整数となるように、各基準信号間の時間間隔と、各基準信号の時間幅との比が決められている。
【００２８】
また、受信機３は、受信手段（図示は省略されている）によってＯＦＤＭ伝送信号を受信して得られたＩＦ信号に対し、図３に示すように、狭帯域バンドパスフィルタリングを行って、基準信号を含むＯＦＤＭ信号を抽出するＢＰＦ回路４と、このＢＰＦ回路から出力されるバンドパスフィルタリング済みのＩＦ信号を取込み、このＩＦ信号に含まれている周波数ｆc の信号成分（基準搬送周波数ｆc を示す基準信号）の一部または全部を抽出するｆc 検出回路５と、このｆc 検出回路５から基準信号が間欠的に出力される毎に、これを取り込んでサンプリングし、このサンプリング処理で得られたデジタルデータを記憶するとともに、ｆc 検出回路５から次の基準信号が出力されるまでの間、デジタルデータを保持して、これを繰り返し、図２（ｂ）に示すような周波数ｆc の連続信号を生成する繰り返し信号作成回路６と、この繰り返し信号作成回路６から出力される連続信号に対し、バンドパスフィルタリングを行って中心周波数がｆc となる信号以外の不要周波数成分をカットするＢＰＦ回路７とを備えている。
【００２９】
さらに、受信機３は、周波数ロックループ（例えば、コスタスループなど）を持ち、ＢＰＦ回路７から出力されるバンドパスフィルタリング済みの連続信号の周波数／位相と入力される帰還信号の周波数／位相とを比較し、この比較結果に基づき、帰還信号の周波数／位相を連続信号の周波数／位相と一致させるのに必要な制御電圧信号を生成する周波数制御回路８と、この周波数制御回路８から出力される制御電圧信号の値に応じた周波数／位相で発振して、ＩＦ信号中に含まれるＯＦＤＭ信号を直交復調するのに必要な周波数ｆc の０度信号を生成し、これを帰還信号として、周波数制御回路８に供給するＶＣＯ回路９と、このＶＣＯ回路９から出力される０度信号を取り込み、位相をπ／２だけシフトして９０度信号を生成するπ／２移相回路１０と、ＶＣＯ回路９から出力される０度信号に基づき、ＢＰＦ回路４から出力されるＩＦ信号中の同相成分を同期検波して、ベースバンドＩ信号を復調するマルチプレクサ回路１１と、π／２移相回路１０から出力される９０度信号に基づき、ＢＰＦ回路４から出力されるＩＦ信号中の直交成分を同期検波して、ベースバンドＱ信号を復調するマルチプレクサ回路１２とを備えている。
【００３０】
そして、送信機２から送信されるＯＦＤＭ伝送信号を受信して、このＯＦＤＭ伝送信号のＩＦ信号に含まれる基準信号を抽出するとともに、この基準信号を繰り返して、連続信号を生成し、さらにこの連続信号に基づき、ＶＣＯ回路９の発振周波数／位相を制御して、基準信号の周波数ｆc と一致する周波数／位相を持つ０度信号と、９０度信号とを生成するとともに、これら０度信号、９０度信号に基づき、ＩＦ信号に含まれている同相成分と、直交成分とを直交同期検波して、ベースバンドＩ信号と、ベースバンドＱ信号とを復調した後、ＤＦＴ回路（図示は省略する）で、ベースバンドＩ信号と、ベースバンドＱ信号とを離散フーリェ変換させ、伝送データを再生させる。
【００３１】
これによって、送信機２から送信されるＯＦＤＭ伝送信号が伝搬中のドップラー効果などによる周波数ずれを起こしていても、また受信機３の局部信号発振器の周波数ずれなどが発生していても、安定で、かつ正確な基準搬送周波数ｆc を再生することができる。
【００３２】
このように、この実施の形態では、送信機２によって、一定の周期で無変調キャリア信号（基準信号）が介挿されたＯＦＤＭ伝送信号を生成して、これを送信するとともに、受信機３側で、ＯＦＤＭ伝送信号を受信して、このＯＦＤＭ伝送信号に含まれる基準信号を抽出し、この基準信号に基づき、０度信号と、９０度信号とを再生するとともに、これら０度信号と、９０度信号とに基づき、ＩＦ信号を直交同期検波して、ベースバンドＩ信号、ベースバンドＱ信号を再生するようにしているので、受信機３側で、送信機２から送信されたＯＦＤＭ伝送信号中のＯＦＤＭ信号を直交同期検波するのに必要な基準搬送周波数ｆc を安定して、かつ正確に再生することができる。
【００３３】
また、この実施の形態では、間欠的に送信される周波数ロック用の信号（基準信号）の長さで、次の基準信号が送信されるまでの時間を割り切れるように設定し、繰り返し信号作成回路６で、各基準信号を繰り返して、切れ目が無い連続信号を生成するようにしているので、受信側で抽出した基準信号から生成した連続信号に切れ目ができないようにすることができ、より安定した周波数ロック用の連続信号を作成することができる。
【００３４】
また、この実施の形態では、受信側で抽出した基準信号をデジタルデータとして記憶し、このデジタルデータを繰り返し、読み出すことにより、アナログ信号のままで繰り返した連続信号よりも、簡単で、かつ安定した周波数ロック用の連続信号を作ることができる。
【００３５】
また、この実施の形態では、間欠的に送信される周波数ロック用の信号（基準信号）の一部を用いたときでも、周波数ロック用の連続信号を作成できるようにしているので、受信側で、送信された基準信号の位置および長さが正確に得られない場合でも、周波数ロック用の連続信号を作成することができる。
【００３６】
図４は、本発明による直交周波数分割多重変調の基準搬送周波数再生方式の他の実施の形態で使用される受信機の一例を示すブロック図である。なお、この図において、図３に示す各部と同じ部分には、同じ符号が付してある。
【００３７】
この図に示す受信機３ａが図３に示す受信機３と異なる点は、ｆc 検出回路５と、繰り返し信号作成回路６との間に、複数の基準信号の位相を整える位相調整回路１３を設け、この位相調整回路１３によってｆc 検出回路５から出力される各基準信号の位相を相互に整えた後、これらを加算して、伝搬中のドップラー効果などによる周波数ずれなどにより、ｆc 検出回路５から出力される各基準信号の位相が変動していても、安定で、かつ正確な基準搬送周波数を再生できるようにしたことである。
【００３８】
この場合、図５のブロック図に示すように、位相調整回路１３は、図６（ａ）に示すように、ＯＦＤＭ伝送信号中に含まれている基準信号を検出して、ｆc 検出回路５から間欠的に出力される基準信号を取り込んで、図６（ｂ）に示すように、これを保持する信号保持回路１４と、この信号保持回路１４に保持されている基準信号の位相を検出して、これら各基準信号の位相を一致させるのに必要な位相調整信号を生成する位相検出回路１５と、この位相検出回路１５から出力される位相調整信号に基づき、信号保持回路１４から出力される各基準信号の位相を揃えて加算し、図６（ｃ）に示すように、位相が揃えられた基準信号を生成する加算回路１６とを備えており、ｆc 検出回路５から間欠的に出力される基準信号を取り込んで、これを保持しながら、各基準信号の位相を検出して、これらの各基準信号の位相が揃うように加算し、これによって得られた基準信号を繰り返し信号作成回路６に供給する。
【００３９】
このように、この実施の形態では、受信側で取り出した基準信号の位相を揃えて加え合わせた基準信号を生成し、この信号を繰り返して連続信号を作るようにしているので、上述した実施の形態の効果に加えて、周波数ロックに利用する連続信号のＣ／Ｎ（信号対雑音比）を改善するという効果を得ることができ、これによって伝送路上の雑音特性が悪い場合であっても、安定で、かつ正確な基準周波数を再生することができる。
【００４０】
【発明の効果】
以上説明したように本発明によれば、請求項１では、送信側でＯＦＤＭ信号の同期信号区間内の所定位置に、ＯＦＤＭ伝送周波数帯域の中心周波数である基準搬送周波数の信号を挿入して間欠的に送信し、受信側で、この信号を取出し、この信号を繰り返すことにより作られる信号を利用し、周波数をロックする電圧制御発振器ループを構成することにより、基準搬送周波数を安定、かつ正確に再生することができる。
【００４１】
また、請求項２では、間欠的に送信される周波数ロック用の信号の長さと、次の信号が送信されるまでの時間との比を整数にすることにより、受信側で抽出した基準信号を繰り返す際に、時間的な切れ目が無い連続信号にすることができ、より安定した周波数ロック用の連続信号を作成することができる。
【００４２】
また、請求項３では、受信側で抽出した基準信号をデジタルデータとして記憶し、このデータを繰り返し、読み出すことにより、アナログ信号のままで繰り返した連続信号よりも、簡単で、かつ安定した周波数ロック用の連続信号を作ることができる。
【００４３】
また、請求項４では、間欠的に送信される周波数ロック用の信号の一部を用いて、周波数ロック用の連続信号を作成することにより、受信側で、送信された基準信号の位置および長さが正確に得られない場合でも、周波数ロック用の連続信号を作成することができる。
【００４４】
また、請求項５では、間欠的に送信される周波数ロック用信号の一部を受信側で取り出す際に、この切出し長さと、次の周波数ロック信号を取り出すまでの時間との比を整数にすることにより、請求項２と同様に、受信側で抽出した基準信号を繰り返す際に、時間的な切れ目が無い連続信号にすることができ、より安定した周波数ロック用の連続信号を作成することができる。
【００４５】
また、請求項６では、受信側で取り出した基準信号の位相を揃えて加え合わせた信号を繰り返して連続信号を作ることにより、周波数ロックに利用する連続信号のＣ／Ｎ（信号対雑音比）を改善するとができ、伝送路上の雑音特性が悪い場合であっても、安定で、かつ正確な基準周波数を再生することができる。
【図面の簡単な説明】
【図１】本発明による直交周波数分割多重変調の基準搬送周波数再生方式の実施の形態を適用した送受信システムの一例を示すブロック図である。
【図２】図１に示す送信機から送信されるＯＦＤＭ伝送信号、受信機側で作成される連続信号のフォーマット例を示す模式図である。
【図３】図１に示す受信機の詳細な回路構成例を示すブロック図である。
【図４】本発明による直交周波数分割多重変調の基準搬送周波数再生方式の他の実施の形態で使用される受信機の一例を示すブロック図である。
【図５】図４に示す位相調整回路の詳細な回路構成例を示すブロック図である。
【図６】図４に示す受信機で受信されるＯＦＤＭ伝送信号、受信機側で抽出される基準信号、受信機側で作成される連続信号の各フォーマット例を示す模式図である。
【符号の説明】
１  送受信システム
２  送信機
３  受信機
４、７  ＢＰＦ回路
５  ｆc 検出回路（基準信号抽出手段）
６  繰り返し信号作成回路（連続信号生成手段）
８  周波数制御回路（電圧制御発振器ループ、基準周波数再生手段）
９  ＶＣＯ回路（電圧制御発振器ループ、基準周波数再生手段）
１０  π／２移相回路
１１、１２  マルチプレクサ回路
１３  位相調整回路（位相調整手段）
１４  信号保持回路
１５  位相検出回路
１６  加算回路
【図１】
0003650250.tif 000002
【図２】
0003650250.tif 000003
【図３】
0003650250.tif 000004
【図４】
0003650250.tif 000005
【図５】
0003650250.tif 000006
【図６】
0003650250.tif 000007